(57)【要約】【課題】部品点数の削減と省電力化を図った電源種類判別回路を提供する。【解決手段】電源種類判別回路３０は、ＤＣジャック１９、乾電池２５接続用の正極端子３２，負極端子３３、スイッチ３５、導通線４８の途中に直列接続された抵抗器３６、Ａ／Ｄコンバータ３８、ＣＰＵ４０から構成される。電源に大きな負荷がかかる電源オン直後のレンズ繰り出し動作時にＡ／Ｄコンバータ３８は抵抗器３６の端子３６ａ，３６ｂの各電圧値を読み込み、アナログからデジタルに変換してからＣＰＵ４０に送る。ＣＰＵ４０は、端子３６ａ，３６ｂ間の電位差を算出し、この値が一定の抵抗間電圧α以上である場合には、電源が乾電池２５であると判別し、各部５０に対して省電力型制御を行なう。電位差が抵抗間電圧α未満の場合には、電源がＡＣアダプタ２０を介した商用交流電源であると判別し、各部５０に対して非省電力型制御を行なう。【選択図】図２
2008160936.tif 000002
【特許請求の範囲】
【請求項１】
商用交流電源を直流に変換するＡＣアダプタ又は電池から電源供給を受けて駆動される電子機器内に設けられ、電源がＡＣアダプタを介した商用交流電源，電池のいずれであるかを判別する電源種類判別回路において、
前記ＡＣアダプタのプラグを挿入することにより、前記プラグが電気的に接続される一対のプラグ接続端子を有するＤＣジャックと、
前記電池を接続する一対の電池接続端子と、
前記プラグ接続端子の一方と電池接続端子の一方との間に設けられ、前記プラグの未挿入／挿入により、前記プラグ接続端子の一方と電池接続端子の一方との接続をオン／オフするスイッチと、
前記電池接続端子の他方をプラグ接続端子の他方に接続する導通線の途中に直列接続された抵抗部材と、
この抵抗部材の両端子の各電圧値をそれぞれ読み込み、各電圧値をアナログからデジタルに変換するＡ／Ｄコンバータと、
このＡ／Ｄコンバータから前記各電圧値をそれぞれ読み込み、前記各電圧値の差が一定値以上である場合には、前記電池が電源であると判別し、前記各電圧値の差が一定値未満である場合には、前記ＡＣアダプタを介した商用交流電源が電源であると判別する判別部と
からなることを特徴とする電源種類判別回路。
【請求項２】
前記Ａ／Ｄコンバータが抵抗部材の両端子の各電圧値をそれぞれ読み込むタイミングは電源に最も大きな負荷がかかる時とし、これを前提条件として、前記抵抗部材の抵抗値を決めることを特徴とする請求項１記載の電源種類判別回路。
【発明の詳細な説明】
【技術分野】
【０００１】
本発明は、電池またはＡＣアダプタから電源供給して駆動される電子機器内に設けられ、電源が電池かＡＣアダプタを介した商用交流電源かを判別する電源種類判別回路に関する。
【背景技術】
【０００２】
近年、携帯電話やノートパソコン，デジタルカメラ等の携帯可能な電子機器が一般に普及している。このような電子機器の多くは、電池とＡＣアダプタの両方が使用可能になっており、携帯時には、電子機器本体内に内蔵された二次電池または着脱自在の一次電池を動作電源とし、自宅の机上など商用交流電源コンセントから電源を取得可能な場所では、ＡＣアダプタを用いて商用交流電源を動作電源としている。
【０００３】
また、前記電子機器には、ＡＣアダプタのプラグを差し込むためのＤＣジャックが設けられており、ＡＣアダプタのプラグをＤＣジャックに差し込むとともに、ＡＣアダプタを商用交流電源コンセントに差し込むと、商用交流電源コンセントからの交流電圧がＡＣアダプタによって降圧整流され、ＤＣジャックを介して電子機器本体内に直流電圧が供給されるとともに、前記電池からの電源供給が停止される。
【０００４】
このような電子機器としては、例えば、ＡＣアダプタが接続されている時と接続されていない時とで異なる信号を出力する回路を設け、この回路の出力信号により電源がＡＣアダプタを介した商用交流電源であると識別された時は節電モ−ドによる節電を行わないようにし、また電池の電圧を検出する回路を設け、電源が電池であると識別された時は、デバイス（ＣＰＵやディスク記憶装置などのＩ／Ｏ）を、電池の電圧に応じて電力節減レベルの異なる節電モ−ドにするデータ装置（携帯型のパーソナルコンピュータやワードプロセッサ）が知られている（例えば特許文献１）。
【特許文献１】特開平６−０１９５９３号公報
【発明の開示】
【発明が解決しようとする課題】
【０００５】
ところで、上記のような電子機器で電源の種類を判別する電源種類判別回路には、電池からの電流がＡＣアダプタへ逆流するのを防止するダイオードと、ＡＣアダプタからの電流が電池へ逆流するのを防止するダイオードとが設けられている。このように、電子部品の中では比較的電力消費が大きいダイオードが２個も使用されているため、電源種類判別回路が電子機器の部品点数の増加と電力消費増大の一つの原因になっている。
【０００６】
本発明は上記事情に鑑みてなされたものであり、部品点数の削減と省電力化を図った電源種類判別回路を提供することを目的とする。
【課題を解決するための手段】
【０００７】
上記課題を解決するために、本発明の電源種類判別回路は、商用交流電源を直流に変換するＡＣアダプタ又は電池から電源供給を受けて駆動される電子機器内に設けられ、電源がＡＣアダプタを介した商用交流電源，電池のいずれであるかを判別する電源種類判別回路において、前記ＡＣアダプタのプラグを挿入することにより、前記プラグが電気的に接続される一対のプラグ接続端子を有するＤＣジャックと、前記電池を接続する一対の電池接続端子と、前記プラグ接続端子の一方と電池接続端子の一方との間に設けられ、前記プラグの未挿入／挿入により、前記プラグ接続端子の一方と電池接続端子の一方との接続をオン／オフするスイッチと、前記電池接続端子の他方をプラグ接続端子の他方に接続する導通線の途中に直列接続された抵抗部材と、この抵抗部材の両端子の各電圧値をそれぞれ読み込み、各電圧値をアナログからデジタルに変換するＡ／Ｄコンバータと、このＡ／Ｄコンバータから前記各電圧値をそれぞれ読み込み、前記各電圧値の差が一定値以上である場合には、前記電池が電源であると判別し、前記各電圧値の差が一定値未満である場合には、前記ＡＣアダプタを介した商用交流電源が電源であると判別する判別部とからなることを特徴とする。
【０００８】
また、前記Ａ／Ｄコンバータが抵抗部材の両端子の各電圧値をそれぞれ読み込むタイミングは電源に最も大きな負荷がかかる時とし、これを前提条件として、前記抵抗部材の抵抗値を決めることを特徴とする。
【発明の効果】
【０００９】
本発明の電源種類判別回路によれば、電池接続端子に抵抗部材を接続し、この抵抗部材の両端子の各電圧値をそれぞれ読み込み、各電圧値をアナログからデジタルに変換して各電圧値の差が一定値以上であるか否かに基づいて電源が電池かＡＣアダプタを介した商用交流電源かのいずれであるかを判別するので、消費電力が大きいダイオードを省略でき、部品点数の削減と省電力化を達成できる。
【００１０】
また、電源に最も大きな負荷がかかる時に抵抗部材の両端子の各電圧値を読み込み、これを前提条件として抵抗部材の抵抗値を決めるので、抵抗部材の抵抗値を小さく設定することができ、消費電力の低減に寄与できる。なお、Ａ／Ｄコンバータのビット数（分解能）を大きくすればするほど、抵抗部材の両端子の各電圧値を高い精度で測定できるため、抵抗部材の抵抗値をより小さく設定することができる。
【発明を実施するための最良の形態】
【００１１】
本発明の実施形態である電源種類判別回路を搭載したデジタルカメラ１０は、図１に示すように、カメラ本体１１の前面に、沈胴式の撮影レンズ１２と、ストロボ発光部１４とが設けられている。また、カメラ本体１１の上面には、シャッタボタン１５と、電源ボタン１６とが設けられている。
【００１２】
カメラ本体１１の下面には、電池蓋１７が設けられており、この電池蓋１７を開けて露呈される電池室に、デジタルカメラ１０の携帯時に供給電源となる一次電池である乾電池２５（図２参照）が着脱自在にカメラ本体１１内に装填される。また、カメラ本体１１の背面（図示せず）には、スルー画を表示して電子ファインダとして使用されるＬＣＤと、複数のボタンで構成される操作部とが設けられている。なお、前記ＬＣＤは、撮影した画像のプレビュー画やメモリカードから読み出した再生画像も表示する。
【００１３】
カメラ本体１１の側面には、ＤＣジャック１９が設けられている。このＤＣジャック１９には、商用交流電源を直流に変換するＡＣアダプタ２０のプラグ２１が挿入される。このＡＣアダプタ２０は、円筒状のプラグ２１と、ＡＣアダプタ本体２２と、これらを接続するケーブル２３とから構成されている。
【００１４】
カメラ本体１１内には、電源がＡＣアダプタ２０を介した商用交流電源，乾電池２５のいずれであるかの電源の種類を判別する電源種類判別回路３０が設けられている。この電源種類判別回路３０は、図２に示すように、前記ＤＣジャック１９と、乾電池２５の正電極２５ａ，負電極２５ｂが接触接続される正極端子３２，負極端子３３と、スイッチ３５と、抵抗器３６と、Ａ／Ｄコンバータ３８と、ＣＰＵ４０とから構成される。
【００１５】
前記ＤＣジャック１９は、前記プラグ２１の先端中央部に穿設された穴に挿入され、前記プラグ２１の正極端子に接続される円柱状の正極端子４２と、前記プラグ２１の外周面に接触接続される弾性を有する接片状の負極端子４３とからなり、この負極端子４３は接地されている。
【００１６】
前記スイッチ３５は、前記ＤＣジャック１９の負極端子４３と、接片４６とからなる。前記接片４６は、前記プラグ２１がＤＣジャック１９に挿入されていない状態では、前記負極端子４３に接触して負極端子４３と負極端子３３とを接続し（オン状態；同図（Ｂ）参照）、前記プラグ２１がＤＣジャック１９に挿入された状態では、前記負極端子４３が弾性変形することにより負極端子４３から離間して負極端子４３と負極端子３３との接続を切断する（オフ状態；同図（Ａ），（Ｃ）参照）。
【００１７】
前記抵抗器３６は、前記正極端子３２をＤＣジャック１９の正極端子４２に接続する導通線４８の途中に直列接続され、前記導通線４８に後述する電位差を発生させる。また、前記Ａ／Ｄコンバータ３８は、前記抵抗器３６の一次側端子３６ａ，二次側端子３６ｂの各電圧値を読み込み、各電圧値をアナログからデジタルに変換し、このデジタルの各電圧値をＣＰＵ４０に入力する。
【００１８】
前記ＣＰＵ４０は、前記Ａ／Ｄコンバータ３８から読み込んだ端子３６ａ，３６ｂの各電圧値の差（以下、端子３６ａ，３６ｂ間の電位差という）を算出する。ここで、同図（Ｂ）に示すように、ＤＣジャック１９にＡＣアダプタ２０のプラグ２１が挿入されておらず、スイッチ３５がオンになっており、正極端子３２，負極端子３３に乾電池２５の正電極２５ａ，負電極２５ｂが接続された状態では、乾電池２５から抵抗器３６に電流が流れ、端子３６ａ，３６ｂ間に電位差が生じる。この電位差が一定の抵抗間電圧α以上である場合には、ＣＰＵ４０は、電源が乾電池２５であると判別し、デジタルカメラ１０の各部５０に対して後述する省電力型の制御を行なう。
【００１９】
なお、前記抵抗間電圧αとしては、例えば、乾電池２５の電圧が３Ｖ，抵抗器３６の抵抗値が０．１Ωのとき、端子３６ａ，３６ｂ間の電位差が１５０ｍＶ（電流値を１．５Ａとした時）となるから、抵抗間電圧α＝１５０ｍＶとする。
【００２０】
また、同図（Ａ）に示すように、ＤＣジャック１９にＡＣアダプタ２０のプラグ２１が挿入され、スイッチ３５がオフになっており、正極端子３２，負極端子３３に乾電池２５の正電極２５ａ，負電極２５ｂが接続されていない状態では、ＡＣアダプタ２０から各部５０に電力が供給され、抵抗器３６に電流は流れず、端子３６ａ，３６ｂ間に電位差は生じない。このように電位差が抵抗間電圧α未満である場合には、ＣＰＵ４０は、ＡＣアダプタ２０を介した商用交流電源が電源であると判別し、各部５０に対して後述する非省電力型の制御を行なう。
【００２１】
また、同図（Ｃ）に示すように、正極端子３２，負極端子３３に乾電池２５の正電極２５ａ，負電極２５ｂが接続されているものの、ＤＣジャック１９にＡＣアダプタ２０のプラグ２１が挿入され、スイッチ３５がオフになっているため、乾電池２５の負電極２５ｂがオープン状態となり、ＡＣアダプタ２０から各部５０に電力が供給され、抵抗器３６にはほとんど電流は流れず、端子３６ａ，３６ｂ間の電位差は０〜３０ｍＶ程度となる。このように電位差が抵抗間電圧α未満である場合には、ＣＰＵ４０は、ＡＣアダプタ２０を介した商用交流電源が電源であると判別し、各部５０に対して非省電力型の制御を行なう。
【００２２】
なお、前記端子３６ａ，３６ｂ間の電位差は、電源に大きな負荷がかかるような動作時，例えば電源オン直後の撮影レンズ１２の繰り出し動作時に最も大きくなるから、この時に測定することを前提とすれば、前記抵抗器３６の抵抗値は、比較的小さな値に設定することができる。また、Ａ／Ｄコンバータ３８のビット数が大きい程、前記端子３６ａ，３６ｂの各電圧値を高い精度で測定できるから、その分抵抗器３６の抵抗値を小さくすることができる。このように抵抗器３６の抵抗値を小さくすることができるから、消費電力の低減に寄与できる。そこで、本実施形態では、Ａ／Ｄコンバータ３８のビット数を１０ビットとし、前記抵抗器３６の抵抗値を０．１Ωとする。
【００２３】
前記省電力型の制御としては、例えば、レンズ駆動速度を低速側にシフト，ＬＣＤのバックライトの明るさを低輝度側にシフト，所定時間（例えば３分）使用しない状態が継続した場合にＬＣＤの電源をオフ，電力消費が大きいレンズ駆動と一緒に他の動作を行なわない等がある。また、前記非省電力型の制御としては、前記省電力型の制御とは逆に、ユーザがデジタルカメラ１０を快適に使用できるよう、例えば、レンズ駆動速度を高速側にシフト，ＬＣＤのバックライトの明るさを高輝度側にシフト，レンズ駆動と一緒に他の動作も制限なしで実施，ＣＰＵ４０のクロックアップ等を行なう。
【００２４】
このように構成された電源種類判別回路３０の作用を図２及び図３を参照して説明する。デジタルカメラ１０の電源ボタン１６を押圧すると（ｓｔ１）、撮影レンズ１２が沈胴位置から撮影可能位置に繰り出される（ｓｔ２）。この電源オン直後のレンズ繰り出し動作では、電源に大きな負荷がかかるから、このタイミングでＡ／Ｄコンバータ３８は、抵抗器３６の一次側端子３６ａ，二次側端子３６ｂの各電圧値を読み込み、この各電圧値をアナログからデジタルに変換してから、ＣＰＵ４０に送る（ｓｔ３）。
【００２５】
ＣＰＵ４０は、端子３６ａ，３６ｂ間の電位差を算出し、この値が一定の抵抗間電圧α以上である場合には（ｓｔ４）、電源が乾電池２５であると判別し、各部５０に対して省電力型の制御を行なう（ｓｔ５）。前記電位差が抵抗間電圧α未満の場合には（ｓｔ４）、電源がＡＣアダプタ２０を介した商用交流電源であると判別し、各部５０に対して非省電力型の制御を行なう（ｓｔ６）。以後、電源がオフにされるまで（ｓｔ８）、撮影シーケンス等が実行される（ｓｔ７）。
【００２６】
このように本発明の電源種類判別回路３０では、例えば０．１Ω程度の比較的小さい抵抗値の抵抗器３６を用いるだけで、消費電力が大きい逆流防止用のダイオードを省略できるため、部品点数の削減と省電力化を達成することができる。
【００２７】
以上説明した実施形態では、電位差を発生させる抵抗部材として抵抗器を用いたが、本発明はこれに限定されることなく、例えばヒューズ，ポリスイッチ，フェライトビーズインダクタなどを用いてもよい。また、上記実施形態では、電池として一次電池の乾電池を用いたが、本発明はこれに限定されることなく、例えば二次電池のリチウムイオン電池などを用いてもよい。
【００２８】
また、上記実施形態において、電子機器としてデジタルカメラを例に説明したが、本発明はこれに限定されることなく、例えばノートパソコンや携帯電話等に本発明を適用してもよい。
【図面の簡単な説明】
【００２９】
【図１】本発明の電源種類判別回路を内蔵したデジタルカメラの外観を示す斜視図である。
【図２】電源種類判別回路の構成を示す回路図である。
【図３】本実施形態の主なシーケンスを示すフローチャートである。
【符号の説明】
【００３０】
１０  デジタルカメラ
１９  ＤＣジャック
２０  ＡＣアダプタ
２１  プラグ
２５  乾電池
３０  電源種類判別回路
３２，４２  正極端子
３３，４３  負極端子
３５  スイッチ
３６  抵抗器
３６ａ  一次側端子
３６ｂ  二次側端子
３８  Ａ／Ｄコンバータ
４０  ＣＰＵ
４６  接片
４８  導通線
【図１】
2008160936.tif 000003
【図２】
2008160936.tif 000004
【図３】
2008160936.tif 000005